(57)【要約】【課題】    偏心によるアンバランスを互いに打ち消すよう配置したオービタルサンダを提供する。【解決手段】  本体ハウジング２内で下向きに設けた出力軸３を中心として、研削パッドを同心円の外側（１３）と内側（１４）に分割して、出力軸３に軸中心に対して対称な偏心方向を持つ偏心部（８、１０）を出力軸の軸方向にずらして２個設け、それぞれの偏心部で各々研削パッドを支持することで、偏心によるアンバランスを互いに打ち消すよう構成した。また、外側パッド１３と内側パッド１２の間にある隙間２６に研削により発生した粉塵を吸引するための吸引口１８を設けて粉塵を吸引するようにした。【選択図】  図１
2014039975.tif 000002
【特許請求の範囲】
【請求項１】
出力軸が研磨面と垂直方向に延びるように配置されるモータと、前記モータを収容するハウジングと、前記出力軸に接続され前記出力軸の回転運動を偏心運動へと変換する偏心部と、前記偏心部に保持される研削パッドを有するオービタルサンダであって、
前記研削パッドを同心円の外側と内側に分割した２つのパッドで構成し、
前記偏心部を前記出力軸の軸中心に対して対称な偏心方向を持つように軸方向にずらして２個設け、それぞれの偏心部で外側パッドと内側パッドを各々支持することを特徴とするオービタルサンダ。
【請求項２】
前記外側パッドは略円環状であり、前記内側パッドは略円形であることを特徴とする請求項１に記載のオービタルサンダ。
【請求項３】
外側パッドと内側パッドの間にある隙間部分に研削により発生した粉塵を吸引するための吸引口を設けたことを特徴とする請求項１又は２に記載のオービタルサンダ。
【発明の詳細な説明】
【技術分野】
【０００１】
本発明は、本体ハウジングの下方にモータの出力軸を突出させ、その下方に偏心運動する研削パッドを備えたオービタルサンダに関する。
【背景技術】
【０００２】
オービタルサンダは、本体ハウジングの下方にモータの出力軸（回転軸）を突出させ、その出力軸に出力軸の軸心から偏心した位置で研削パッドを直交状に連結して、モータの駆動に伴って研削パッドに偏心運動（オービタル運動）をさせることで被研削物を研削可能とした。このようなオービタルサンダは、研削パッドのオービタル運動に伴って振動が発生するため、振動低減のために偏心側と逆側にカウンタウェイト等を設けて、カウンタウェイト等を逆偏心させることによってバランスの調整を図っている。特許文献１には、モ−タの出力軸を中心として対称位置に少なくとも１対のスピンドルを出力軸と平行に軸支持して、両スピンドルの下端に一対のパッドを直交状に且つスピンドルの軸心に対して互いの逆側へ偏心するように設けたサンダが開示される。
【先行技術文献】
【特許文献】
【０００３】
【特許文献１】特開２００２−２３３９４１号公報
【発明の概要】
【発明が解決しようとする課題】
【０００４】
特許文献１に開示された偏心構造では研削パッドを支持するスピンドルをモータ出力軸の他に駆動ギヤも含めて一対用意することでコストアップにつながるし、更には研削パッドが偏心運動ばかりでなく同時に自転運動もするランダムオービタルサンダでは、どうしても自転する円状の研削パッドが２個横並びになるため面積を工具に対して十分大きくできないという課題があった。
【０００５】
本発明は上記背景に鑑みてなされたもので、その目的は、スピンドルをモータ出力軸のみとして２個のパッドを互いに振動を打ち消す方向に配置してコストを下げ、更には研削パッドが偏心運動だけでなく自転運動をするランダムサンダにおいても研削パッドを横に並べないで効率的に配置できるようにすることにある。
【課題を解決するための手段】
【０００６】
本発明のオービタルサンダは、本体ハウジング内で下向きに設けた出力軸を中心として、研削パッドを同心円の外側と内側に分割して、出力軸に軸中心に対して対称な偏心方向を持つ偏心部を出力軸の軸方向にずらして２個設け、それぞれの偏心部で各々研削パッドを支持することで、偏心によるアンバランスを互いに打ち消すよう配置した。
【発明の効果】
【０００７】
請求項１の記載の発明によれば、本体ハウジング内で下向きに設けた出力軸を中心として、研削パッドを同心円の外側と内側に分割して、出力軸に軸中心に対して対称な偏心方向を持つ偏心部を出力軸の軸方向にずらして２個設け、それぞれの偏心部で各々パッドを支持することで、偏心によるアンバランスを互いに打ち消すよう配置するので、パッド支持のスピンドルを１個のみにすることができ、また、同心円の外側と内側に分割した研削パッドにより研削パッドが偏心運動だけでなく自転運動もするランダムオービタルサンダにおいては研削パッドを横に並べずにすむため研削パッド面積を工具に対して十分に大きくできる。
【０００８】
請求項２の記載の発明によれば、外側パッドは略円環状であり、内側パッドは略円形であるので、製造が容易で剛性感の高い研削パッドを実現できる。
【０００９】
請求項３の記載の発明によれば、研削パッドを同心円の外側と内側に分割するとき、外側パッドと内側パッドの間には隙間があるので、その隙間を研削パッド表面から本体内に設けた集塵ファンまで研削により発生した粉塵を運搬するための流路として使い、研削パッド表面の隙間は研削により生じた粉塵の吸引口とすることができる。
【００１０】
本発明の上記及び他の目的ならびに新規な特徴は、以下の明細書の記載及び図面から明らかになるであろう。
【図面の簡単な説明】
【００１１】
【図１】本発明の実施例にかかるオービタルサンダの縦断面図である。
【図２】本発明の実施例にかかるオービタルサンダの底面図である。
【発明を実施するための形態】
【実施例１】
【００１２】
以下、本発明の実施例を図面に基づいて説明する。なお、本明細書においては、前後、上下の方向は図中に示す方向であるとして説明する。図１は本発明の実施例にかかるオービタルサンダの縦断面図である。
【００１３】
オービタルサンダは、モータ４の出力軸３に接続された偏心部を介して研削パッドを非円形軌跡に、例えばオービタル状に移動させながら被研削材を研削する工具である。プラスチック等の高分子樹脂で形成される本体ハウジング２の内部には、研削面を水平方向としたときに出力軸３が鉛直方向に延びるようにモータ４が配置される。本体ハウジング２の上部には握り部６が形成され、握り部６の前方付近に設けたスイッチ５をオンにすることでモータ４が回転駆動する。出力軸３の下方には回り止め用カットが施されており、そこにモータ冷却及び吸塵用のファン７がはめ込まれることで出力軸３に固着される。ファン７の下面側には第１の偏心部８が設けられ、そこにボールベアリング９を介してパッドホルダ１６が回動可能に取り付けられる。さらにボールベアリング１１の内輪下面側を抑えるように、第２の偏心部１０が出力軸３に設けられた回り止め用カット部に係合するようにはめこまれ出力軸３に固着される。そこに、ボールベアリング１１を介してパッドホルダ１２が回動可能に取り付けられる。
【００１４】
外周側のパッドホルダ１６には、略円筒形の研削パッド１３ネジ１５ａによって固定され、研削パッド１３の下面には研磨剤が固着される。内周側のパッドホルダ１２には研削パッド１４が１５ｂによって固定され、研削パッド１４の下面には研磨剤が固着される。ファン７の下面側に設けられた第１の偏心部８とその下方に設けられた第２の偏心部１０は出力軸３の回転中心に対して１８０°位相がずれており互いにアンバランスを打ち消しあう配置になっている。
【００１５】
本実施例においては、研削により発生した粉塵を吸引する集塵機構が設けられるが、その吸引口１８が外側の研削パッド１３と内側の研削パッド１４の間にある隙間部分に開口するように配置される。研削パッド１３、１４およびパッドホルダ１６、１２の間には隙間２６が形成されるため、研削パッド１３、１４の研磨剤で被削材を研削することで生じた粉塵を隙間２６を流路として図中の矢印に示すようにファン７の吸引力により吸引し、本体ハウジング２の後側に連結した集塵バッグ１７に排出する。
【００１６】
図２は本発明の実施例にかかるオービタルサンダの底面図である。外側の研削パッド１３は内縁が円形、外縁が円形の円環状の形状であって、円周方向に等間隔位置において３つのネジ１５ａによってパッドホルダ１６（図１参照）に固定される。同様にして内側の研削パッド１４は円形であって、円周方向に等間隔位置において３つのネジ１５ｂによってパッドホルダ１２（図１参照）に固定される。本実施例のオービタルサンダ１は、研削パッド１３、１４はモータ４の回転によって偏心運動だけでなく自転もするものでランダムオービタルサンダと呼ばれる。尚、自転する研削パッド１３、１４をなんらかの方法で本体ハウジング２と連結し自転することを規制すれば一般的なオービタルサンダになる。ここで、図２から理解できるように、モータの回転軸に対して、研削パッド１３の中心と研削パッド１４の中心はそれぞれオフセットして配置され、出力軸（回転軸）の中心に対して対称な偏心方向になるように構成される。
【００１７】
以上、本発明を実施例に基づいて説明したが、本発明は上述の実施例に限定されるものではなく、その趣旨を逸脱しない範囲内で種々の変更が可能である。例えば上述の実施例では、研削パッド１３、１４は円形のパッドと円環状のパッドにて構成したがこれらの構成だけに限られずに、内周部のパッドの周囲を覆う環状のパッドまたは非環状のパッドと、外周部のパッドの内周に配置される任意形状のパッドによって構成しても良い。
【符号の説明】
【００１８】
１  オービタルサンダ                  ２  本体ハウジング
３  出力軸                            ４  モータ
５  スイッチ                          ６  握り部
７  ファン                            ８  第１の偏心部
９  ボールベアリング                  １０  第２の偏心部
１１  ボールベアリング                １２  パッドホルダ
１３  研削パッド                      １４  研削パッド
１５ａ、１５ｂ  ネジ                  １６  パッドホルダ
１７  集塵バッグ                      １８  吸引口
２６  隙間
【図１】
2014039975.tif 000003
【図２】
2014039975.tif 000004